(57)【要約】【課題】陶磁器製パネルを用いた寝床を設置するときの設置作業の手間を軽減する。【解決手段】ベッド１０は、遠赤外線を発生させる機能を有し、弾性目地２６が取り付けられた複数の陶板２０と、陶板２０を嵌め込むための凹部１２ａが設けられた本体１２と、陶板２０を加熱するために凹部１２ａに設置されたヒータとを備え、複数の陶板２０は、弾性目地２６によって凹部１２ａに隙間なく嵌め込み可能に構成されている。【選択図】図１
2020199224.tif 000002
【特許請求の範囲】
【請求項１】
遠赤外線を発生させる機能を有する寝床であって、
弾性目地が各々予め取り付けられた複数の陶磁器製パネルと、
前記複数の陶磁器製パネルを嵌め込むための凹部が設けられた本体と、
前記陶磁器製パネルを加熱するため前記凹部に取り付けられたヒータと、
を備え、
前記複数の陶磁器製パネルは、前記弾性目地によって前記凹部に隙間なく嵌め込み可能に構成されている、寝床。
【請求項２】
前記陶磁器製パネルは、ラジウム鉱石を含有する、
請求項１に記載の寝床。
【請求項３】
前記陶磁器製パネルは、陶器により構成されている、
請求項１または２に記載の寝床。
【発明の詳細な説明】
【技術分野】
【０００１】
本発明は寝床に関する。
【背景技術】
【０００２】
近年、健康増進などを目的として、陶板浴や岩盤浴など、遠赤外線を発生させる機能を有する寝床に寝そべることで発汗を促して新陳代謝を高め、例えば、疲労回復や肩こり軽減などの効果を得ることが行われている。
【０００３】
例えば、特許文献１には、カプセル収納部内に設られた台座上に発熱部を設置し、この発熱部の上に寝床を構成する複数の陶板（陶磁器製パネル）を取り付けることにより、プライバシーの保護を図りつつ陶板浴を行うことが可能な陶板浴装置が開示されている。各陶板は、端面に各々設けられた窪みにダボを嵌合させることでずれないように互いに連結されており、さらに、各陶板の隙間を目地で埋めることで寝床を構成している。
【先行技術文献】
【特許文献】
【０００４】
【特許文献１】実用新案登録第３２１７５０６号公報
【発明の概要】
【発明が解決しようとする課題】
【０００５】
ところで、陶板などの陶磁器は焼成工程を経て製作されるため寸法のバラツキが大きいという特徴がある。このため、上記特許文献１に記載の陶板浴装置のように複数の陶板を用いて寝床を構成する場合には、各陶板を台座上に設置した後、各陶板の間の隙間を目地材で塞ぐ作業を行う必要があり寝床の設置作業に手間を要するという問題がある。
【０００６】
本発明は、陶磁器製パネルを用いた寝床を設置するときの設置作業の手間を軽減することを目的とする。
【課題を解決するための手段】
【０００７】
本発明の寝床は、遠赤外線を発生させる機能を有する寝床であって、弾性目地が各々予め取り付けられた複数の陶磁器製パネルと、複数の陶磁器製パネルを嵌め込むための凹部が設けられた本体と、陶磁器製パネルを加熱するため凹部に取り付けられたヒータと、を備え、複数の陶磁器製パネルは、弾性目地によって凹部に隙間なく嵌め込み可能に構成されている。
【０００８】
本発明の寝床において、陶磁器製パネルは、ラジウム鉱石を含有してもよい。
【０００９】
本発明の寝床において、陶磁器製パネルは、陶器により構成されてもよい。
【発明の効果】
【００１０】
本発明の寝床によれば、各陶磁器製パネルに予め取り付けられた弾性目地によって本体の凹部と各陶磁器製パネルとの間や、隣接する陶磁器製パネル同士の間に、各陶磁器製パネルを嵌め込むときに隙間ができるのを防ぐことができる。この結果、本体の凹部に各陶磁器製パネルを嵌め込んでから各陶磁器製パネルの周囲に形成される隙間を目地材で埋める作業を行う必要がなく、寝床を設置する作業の手間を軽減することができる。
【図面の簡単な説明】
【００１１】
【図１】本発明の一実施形態であるベッドの構成を示す図である。
【図２】図２（ａ）は、図１に示すＡ−Ａ線で切断したときの陶板の断面構成を示す図である。図２（ｂ）は、図１に示す陶板の変形例の構成を図２（ａ）と同様に示す断面構成図である。
【発明を実施するための形態】
【００１２】
以下、本発明の一実施形態であるベッドについて、図面を参照しながら説明する。図１に示すように、ベッド（寝床）１０は、遠赤外線を発生させる機能を有する陶板浴を行うためのベッドである。ベッド１０は、本体１２と、本体１２に嵌め込まれた同一構成からなる陶板（陶磁器製パネル，陶器）２０ａ，２０ｂ，２０ｃ，…，２０ｊ（以下、区別する必要が無い場合は「陶板２０」と表記）と、各陶板２０を加熱するヒータ２２とを備える。
【００１３】
この本体１２は、ヘッドボード１４と、フットボード１６と、サイドフレーム１８とを含み、ヘッドボード１４に隣接する位置に化粧板１９が取り付けられている。そして、この化粧板１９には、ヒータ２２の温度を制御するコントローラ２４が設置されている。このコントローラ２４には、ヒータ２２の温度を測定する温度センサ（不図示）が複数接続されており、各温度センサの測定値に基づいてヒータ２２の温度制御を実行する。
【００１４】
また、各陶板２０は、本体１２の上面に設けられた上面視略長方形状の凹部１２ａに隙間なく嵌め込み可能に構成された黒色をした陶器製の板材である。なお、図１では、陶板２０ｊを凹部１２ａから取り外して凹部１２ａに設置されているヒータ２２を露出させた状態を示している。
【００１５】
図２（ａ）は、陶板２０の断面構成を示す図である。図２（ａ）に示すように、陶板２０の端面に弾性目地２６が取り付けられている。ここで、各陶板２０は、焼成工程を経て製作されるため寸法Ｘのバラツキが大きい。そのため、本実施形態では、陶板２０の周囲を囲繞するように弾性目地２６を予め取り付け、この弾性目地２６の厚みｔ１，ｔ２を増減させることにより弾性目地２６の厚みｔ１，ｔ２を含む陶板２０の寸法Ｌが予め設定された長さとなるように形成している。このため、各陶板２０のサイズを一定の大きさに形成することができる。
【００１６】
これにより、本体１２の上面の凹部１２ａに各陶板２０を嵌め込んだときに、各陶板２０の間や、各陶板２０と凹部１２ａとの間の隙間を弾性目地２６によって塞いだ状態とすることができる。また、陶板２０を凹部１２ａに嵌め込む際、弾性目地２６が適度に変形するため陶板２０の嵌め込み作業を行い易いという利点もある。
【００１７】
この弾性目地２６は、シーリング材によって形成されている。シーリング材としては、例えば、シリコンや変性シリコンなどを用いるのが好適である。
【００１８】
なお、図２（ｂ）は、陶板２０に取り付けられた弾性目地２６の変形例である弾性目地２８を示す図である。図２（ｂ）に示すように、陶板２０の上面側、すなわち、表面側にだけ弾性目地２８を取り付けるようにしてもよい。また、陶板２０の表面側の厚みの方が陶板２０の裏面側の厚みよりも厚くなるように例えば階段状に弾性目地２６を形成してもよい。これらの場合には、陶板２０に取り付ける弾性目地の使用量を低減することができる。
【００１９】
また、各陶板２０は、ラジウム鉱石の微粒子を含有する釉薬を表面２０−１（図２（ａ）参照）に塗布した上で焼成するのが好ましい。ここで、岩盤浴などで用いられる岩石の中にもラジウム鉱石などを含有するものもあるが、岩石中に均等にラジウム鉱石が含有されているわけではない。このため、岩盤浴などでは、岩石から放射線を均等に放出させることができないという問題がある。
【００２０】
一方、低線量の放射線が体内に取り込まれることによって免疫力などが向上する、いわゆる、ホルミシス効果が得られると考えられているが、上述したようにラジウム鉱石を含有する岩石を用いる岩盤浴などでは放射線の線量のバラツキが大きく、ホルミシス効果を充分に得ることができない。
【００２１】
これに対し、本実施形態の陶板２０では、表面２０−１にラジウム鉱石の微粒子（換言すると、粉末とも表現できる）を含む釉薬を塗布することで表面２０−１から満遍なく放射線を発生させることができる。この結果、ホルミシス効果を充分に得ることができるという利点もある。
【００２２】
なお、本実施形態では、ラジウム鉱石を含む釉薬を陶板２０に塗布焼成することにより陶板２０の表面２０−１から放射線を均等に発生させる例を挙げて説明しているが、例えば、ラジウム鉱石の微粒子を混合した坏土（はいど）や粘土を用いて陶板２０を製作するようにしてもよい。この場合にも本実施形態と同様に陶板２０から満遍なく放射線を発生させることができる。
【００２３】
また、陶板２０を含む陶器は、磁器よりも同じ温度条件下で遠赤外線をより多く放出するので、本実施形態のように陶器を用いるのがより好適である。
【００２４】
さらに、陶板２０は、陶器であるため磁器よりもガラス質の含有率が少なく気泡を多く含む。このため、吸水性を有している。また、本実施形態のように釉薬を塗布した状態で焼成しても陶板２０などの陶器は吸水性を有する。このように吸水性を具備する陶板２０を用いて寝床を構成することによって、寝床を使用する使用者の汗などが陶板２０によって吸収される。この結果、寝床が汗で湿り難く、使用時に快適な状態を保持できるという利点もある。
【００２５】
ヒータ２２は、可撓性を有するシート状のヒータであり、本体の凹部１２ａに嵌め込まれた各陶板２０の下に配置されており、各陶板２０を加熱する機能を有する。また、本実施形態では、コントローラは、０〜６０℃の範囲でヒータ２２の発熱温度を調節するとともに発熱時間を設定するタイマーとしての機能を有する。
【００２６】
本実施形態のベッド１０によれば、各陶板２０に予め取り付けられている弾性目地２６によって本体１２の凹部１２ａと各陶板２０との間や、隣接する陶板２０同士の間に、各陶板２０を嵌め込むときに隙間ができるのを防ぐことができる。この結果、本体１２の凹部１２ａに各陶板２０を嵌め込んでから各陶板の周囲に形成される隙間を目地材で埋める作業を行う必要がなく、ベッド１０の設置作業の手間を軽減することができる。
【００２７】
また、ベッド１０では、ヒータ２２を加熱することによって陶板２０が温められ遠赤外線が放出されるとともに、表面２０−１に焼成されたラジウム鉱石から放射線を均等に発生させることができる。このため、遠赤外線によって血行を促進し免疫力や代謝を増加させる健康増進効果に加え、遠赤外線とともに低線量の放射線が体内に取り込まれることによってホルミシス効果を得ることもできる。
【００２８】
上記実施形態では、ベッド１０を例に挙げて説明しているが、例えば、フロアなどの一部に各陶板２０を嵌め込むことによって寝床を構成するようにしてもよいし、各陶板２０を用いてその他の構成の寝床を構成してもよい。また、上記実施形態では、陶磁器製パネルの例として陶板２０を用いているが、陶板以外の陶器や磁器を陶磁器製パネルとして用いてもよい。
【００２９】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００３０】
１０    ベッド（寝床）
１２    本体
１２ａ    本体
２０ａ，２０ｂ，２０ｃ，２０ｊ    陶板（陶磁器製パネル，陶器）
２６，２８    弾性目地
【図１】
2020199224.tif 000003
【図２】
2020199224.tif 000004